(57)【要約】【課題】玄関ホール部に隣接して衣類を収納可能な収納空間が設けられている住宅において、その収納空間に埃や花粉等の異物が溜まるのを抑制するとともに、居室空間へ異物が入り込むのを抑制すること。【解決手段】住宅１０には、玄関１１に連続してホール１２が設けられているとともに、そのホール１２から出入り可能な位置に、衣類を収納可能な収納空間３１が設けられている。また、住宅１０には、玄関１１から収納空間３１を経由してＬＤＫ１３へ通じる移動経路Ｒが設けられている。また、住宅１０には、移動経路Ｒの脇に空調装置５１が設けられている。空調装置５１は、周囲の空気を吸い込んで空調空気を生成し、その空調空気によりＬＤＫ１３の空調を行う。この空調装置５１による空気の吸い込みに伴い、移動経路Ｒでは空調装置５１へ向かう空気の流れが生じるようになっている。【選択図】      図１
2020176384.tif 000002
【特許請求の範囲】
【請求項１】
玄関ホール部から出入り可能な位置に設けられ、衣類を収納可能な収納空間と、
前記玄関ホール部から居室空間へ通じる移動経路と、を備える住宅であって、
前記移動経路の脇には、周囲の空気を吸い込んで空調空気を生成し、その空調空気により住宅内の空調を行う空調装置が設けられ、
前記空調装置による空気の吸い込みに伴い、前記移動経路において前記空調装置へ向かう空気の流れが生じるようになっていることを特徴とする住宅。
【請求項２】
前記空調装置は、生成した空調空気を前記居室空間へ供給し当該居室空間の空調を行うものであり、
前記空調装置には、吸い込んだ空気に含まれる異物を除去するフィルタが設けられていることを特徴とする請求項１に記載の住宅。
【請求項３】
前記移動経路は、前記収納空間を通過する経路となっており、
前記空調装置は、前記収納空間の脇に設置されていることを特徴とする請求項１又は２に記載の住宅。
【請求項４】
前記収納空間では、前記玄関ホール側の出入口にドアが設けられている一方、前記居室空間側の出入口にはドアが設けられていないことを特徴とする請求項３に記載の住宅。
【請求項５】
前記移動経路の途中に洗面台が設けられていることを特徴とする請求項１乃至４のいずれか一項に記載の住宅。
【発明の詳細な説明】
【技術分野】
【０００１】
本発明は、住宅に関する。
【背景技術】
【０００２】
特許文献１には、玄関に隣接して、衣類を収納可能なクロゼットルームが設けられた住宅が開示されている。この住宅では、玄関からクロゼットルームへ出入りするための出入口と、クロゼットルームから居室側へ出入りするための出入口とが設けられている。この特許文献１の住宅によれば、居住者が帰宅した際、クロゼットルームに入って屋内用の衣類に着替え、その後居室へ入ることができるようになっている。
【先行技術文献】
【特許文献】
【０００３】
【特許文献１】特開２００３−１８４３２７号公報
【発明の概要】
【発明が解決しようとする課題】
【０００４】
ところで、上記特許文献１の住宅では、玄関に隣接してクロゼットルームが設けられているため、居住者が帰宅した際、玄関側から埃や花粉等の異物がクロゼットルームに入って、その異物がクロゼットルームに溜まってしまうことが考えられる。
【０００５】
また、上記特許文献１の住宅では、玄関からクロゼットルームを経由して居室へ通じる移動経路が構築されているため、その移動経路を通じて埃や花粉等の異物が居室へ入り込むことも考えられる。
【０００６】
本発明は、上記事情に鑑みてなされたものであり、玄関ホール部に隣接して衣類を収納可能な収納空間が設けられている住宅において、その収納空間に埃や花粉等の異物が溜まるのを抑制するとともに、居室空間へ異物が入り込むのを抑制することを主たる目的とするものである。
【課題を解決するための手段】
【０００７】
上記課題を解決すべく、第１の発明の住宅は、玄関ホール部から出入り可能な位置に設けられ、衣類を収納可能な収納空間と、前記玄関ホール部から居室空間へ通じる移動経路と、を備える住宅であって、前記移動経路の脇には、周囲の空気を吸い込んで空調空気を生成し、その空調空気により住宅内の空調を行う空調装置が設けられ、前記空調装置による空気の吸い込みに伴い、前記移動経路において前記空調装置へ向かう空気の流れが生じるようになっていることを特徴とする。
【０００８】
本発明によれば、玄関ホール部から居室空間へ通じる移動経路の脇に空調装置が設けられ、その空調装置による空気の吸い込みに伴い、移動経路において空調装置へ向かう空気の流れが生じるようになっている。この場合、玄関ホール部側から移動経路を通じて居室空間へ埃や花粉等の異物が流れ込むのを抑制することができる。また、玄関ホール部から出入り可能な収納空間に異物が溜まるのを抑制することができる。
【０００９】
第２の発明の住宅は、第１の発明において、前記空調装置は、生成した空調空気を前記居室空間へ供給し当該居室空間の空調を行うものであり、前記空調装置には、吸い込んだ空気に含まれる異物を除去するフィルタが設けられていることを特徴とする。
【００１０】
本発明によれば、空調装置に異物除去用のフィルタが設けられているため、空調装置に吸い込まれる空気に含まれる埃や花粉等の異物がフィルタにより除去される。この場合、その異物が除去された空気をもとに空調空気が生成され、その空調空気により居室空間の空調が行われるため、空調空気とともに異物が居室空間に流れ込むのを防止することができる。
【００１１】
第３の発明の住宅は、第１又は第２の発明において、前記移動経路は、前記収納空間を通過する経路となっており、前記空調装置は、前記収納空間の脇に設置されていることを特徴とする。
【００１２】
本発明によれば、収納空間が移動経路の途中に設けられているため、居住者は帰宅した際、玄関ホール部から居室空間へ移動する途中で収納空間において屋内用の衣類に着替えることができる。これにより、居住者が帰宅してから屋内用の衣類に着替えて居室空間に入るまでの動線を効率化することができる。また、空調装置が収納空間の脇に設置されているため、収納空間の空気は空調装置に直接吸い込まれる。これにより、収納空間に埃や花粉等の異物が溜まるのを好適に抑制することができる。
【００１３】
第４の発明の住宅は、第３の発明において、前記収納空間では、前記玄関ホール側の出入口にドアが設けられている一方、前記居室空間側の出入口にはドアが設けられていないことを特徴とする。
【００１４】
本発明によれば、収納空間において、玄関ホール側の出入口にドアが設けられている一方、居室空間側の出入口にはドアが設けられていない。これにより、居住者が玄関ホールから収納空間を通って居室空間へ移動する際、移動し易くすることができる。また、居室空間側の出入口が開放されているため、移動経路において居室空間側から収納空間へ向けた空気の流れが生じ易くなっている。これにより、移動経路を通じて埃や花粉等の異物が居室空間に流れ込むのをより一層抑制することができる。
【００１５】
第５の発明の住宅は、第１乃至第４のいずれかの発明において、前記移動経路の途中に洗面台が設けられていることを特徴とする。
【００１６】
本発明によれば、移動経路の途中に洗面台が設けられているため、居住者が帰宅した際、居室空間に入る前に手洗いを済ませることができる。これにより、居室空間に埃や花粉等の異物が持ち込まれるのをより一層抑制することができる。
【図面の簡単な説明】
【００１７】
【図１】第１の実施形態における住宅の一階部分の間取りを示す平面図。
【図２】収納空間周辺を拡大して示す平面図。
【図３】第２の実施形態における住宅の一階部分の間取りを示す平面図。
【図４】住宅の二階部分の間取りを示す平面図。
【発明を実施するための形態】
【００１８】
〔第１の実施形態〕
以下に、本発明を具体化した一実施の形態について図面を参照しつつ説明する。本実施形態では、住宅が二階建てとされており、図１はその住宅の一階部分の間取りを示す平面図である。以下、この図１に基づいて、住宅１０の一階部分の間取りについて説明する。なお、図１では、その上下方向が南北方向となっており、その左右方向が東西方向となっている。
【００１９】
図１に示すように、住宅１０の一階部分には、屋内空間として、玄関１１と、ホール１２と、ＬＤＫ１３（リビングダイニングキッチン）と、和室１４と、洗面室１５と、浴室１６と、トイレ１７とが設けられている。玄関１１は、住宅１０の南西の角部に設けられ、その玄関１１には玄関口２１が設けられている。玄関口２１は、南向きに開口しており、その玄関口２１には玄関ドア２２が設けられている。また、玄関１１の北側にはホール１２が連続して設けられている。この場合、玄関１１とホール１２との連続空間が玄関ホール部に相当する。また、ホール１２には洗面台１９が設けられている。
【００２０】
ＬＤＫ１３は、玄関１１及びホール１２の東側に隣接して設けられている。ＬＤＫ１３は、リビング１３ａとダイニング１３ｂとキッチン１３ｃとが連続した連続空間とされている。ＬＤＫ１３では、南側にリビング１３ａが設けられ、北側にダイニング１３ｂ及びキッチン１３ｃが設けられている。また、リビング１３ａの南側にはテラス２４が設けられている。なお、ＬＤＫ１３が居室空間に相当する。
【００２１】
ＬＤＫ１３（詳しくはダイニング１３ｂ）とホール１２との間には出入口２５が設けられている。この出入口２５を通じてホール１２からＬＤＫ１３への出入りが可能となっている。また、出入口２５には引き戸からなるドア２６が設けられている。
【００２２】
ＬＤＫ１３の北側には、和室１４と洗面室１５と浴室１６とが設けられている。洗面室１５はキッチン１３ｃの北側に隣接しており、その洗面室１５の北側に浴室１６が隣接して設けられている。洗面室１５からキッチン１３ｃへは出入口２８を介して出入り可能となっている。
【００２３】
ホール１２の北側には衣類を収納可能な収納空間３１が隣接して設けられている。以下、この収納空間３１周辺の構成について図２を用いながら説明する。図２は、収納空間３１周辺を拡大して示す平面図である。
【００２４】
図２に示すように、収納空間３１とホール１２との間には出入口３３が設けられている。収納空間３１にはこの出入口３３を通じてホール１２から出入りが可能となっている。また、出入口３３には開き戸からなるドア３４が設けられている。なお、ドア３４は引き戸であってもよい。
【００２５】
収納空間３１の北側には廊下３６が隣接して設けられている。収納空間３１と廊下３６との間には出入口３７が設けられ、この出入口３７を通じて収納空間３１から廊下３６へ出入りすることが可能となっている。また、出入口３７は収納空間３１を挟んで出入口３３と対向して配置されている。これにより、本住宅１０では、ホール１２から廊下３６へ収納空間３１を通じて行き来することが可能とされている。したがって、収納空間３１は、いわゆるウォークスルークローゼットとなっている。また、ホール１２側の出入口３３には上述したようにドア３４が設けられているが、廊下３６側の出入口３７にはドアが設けられていない。このため、出入口３７は常時開放された状態となっている。
【００２６】
収納空間３１は、各出入口３３，３７の間に設けられた通路スペース３１ａと、衣類を収納可能な収納スペース３１ｂとを有する。収納スペース３１ｂには、衣類を吊り下げ可能な吊り下げ棒４１が設けられている。これにより、この吊り下げ棒４１に外出用の上着等を吊り下げておくことが可能となっている。また、収納スペース３１ｂに衣類を収納可能な収納棚を設けてもよい。なお、通路スペース３１ａと収納スペース３１ｂとの間には収納扉等の建具が設けられておらず、そのため、収納スペース３１ｂは通路スペース３１ａに開放された開放スペースなっている。
【００２７】
図１に示すように、廊下３６は、東西方向に延びており、ＬＤＫ１３詳しくはダイニング１３ｂに通じている。これにより、本住宅１０では、玄関１１からホール１２と収納空間３１と廊下３６とを経由してＬＤＫ１３へと至る移動経路Ｒが設けられている。本住宅１０では、居住者が帰宅した際、居住者がその移動経路Ｒを通って玄関１１からＬＤＫ１３へと移動する（入る）ようになっている。
【００２８】
ここで、居住者が帰宅した際の流れについて説明すると、居住者は帰宅後まずホール１２の洗面台１９で手洗いやうがいを行う。その後、居住者は収納空間３１へ入り、その収納空間３１で外出用の衣類から屋内用の衣類に着替える。したがって、収納空間３１は居住者の着替えスペースとして利用されるようになっている。その後、居住者は廊下３６を通ってＬＤＫ１３へ移動する。これにより、本住宅１０では、居住者が帰宅してからＬＤＫ１３に入るまでに、手洗いや着替えを済ませることが可能となっている。
【００２９】
なお、本住宅１０では、居住者が外出する際には、居住者がＬＤＫ１３から玄関１１へ移動経路Ｒを通って移動するようになっている。また、本住宅１０には、玄関１１からＬＤＫ１３への移動経路として、上記移動経路Ｒの他に、玄関１１→ホール１２→ＬＤＫ１３と移動する移動経路がある。この移動経路は、ホール１２から出入口２５を通じてＬＤＫ１３へ入る経路である。この移動経路は、来客があった場合に客をＬＤＫ１３へ招き入れる際に利用される来客用の経路となっている。
【００３０】
廊下３６は、ＬＤＫ１３だけでなく、和室１４と洗面室１５とにも通じている。和室１４は、廊下３６の北側に隣接しており、廊下３６から出入口４４を通じて出入りが可能とされている。また、廊下３６は、その東側において洗面室１５に通じている。廊下３６から洗面室１５には出入口４６を通じて出入りが可能とされている。また、廊下３６を挟んで出入口３７とは反対側には、二階部分へ通じる階段４８が設けられている。
【００３１】
ここで、本住宅１０には、全館式の空調設備５０が設けられている。以下、この空調設備５０について説明する。
【００３２】
図２に示すように、空調設備５０は、空調空気（冷気又は暖気）を生成する空調装置５１を備える。空調装置５１は、収納空間３１の脇に設置されている。詳しくは、収納空間３１には、通路スペース３１ａを挟んで収納スペース３１ｂとは反対側に空調装置５１の設置スペース５３が設けられている。この場合、通路スペース３１ａ、収納スペース３１ｂ及び設置スペース５３は各出入口３３，３７が対向する方向と直交する方向に並んでいる。
【００３３】
設置スペース５３は、通路スペース３１ａに開口した開口部５４を有している。この開口部５４は空調装置５１を通路スペース３１ａ側からメンテナンスする際に利用されるメンテナンス開口部となっている。この開口部５４には、観音開き式の扉部５５が設けられている。この扉部５５は、その下端部が床面から上方に離間されることでアンダーカットされ、そのアンダーカット部分により設置スペース５３と通路スペース３１ａとを通気可能に連通する通気部５７が形成されている。
【００３４】
空調装置５１は、設置スペース５３内の空気を吸い込むための吸込部５１ａを有している。空調装置５１は、その吸込部５１ａにより吸い込んだ空気を温度調整することで空調空気（冷気又は暖気）を生成する。また、吸込部５１ａにはフィルタ５１ｂが設けられている。このフィルタ５１ｂにより吸込部５１ａにより吸い込まれた空気に含まれる異物が除去されるようになっている。
【００３５】
空調装置５１には空調ダクト５８が接続されている。空調ダクト５８は設置スペース５３から床下に入り込み、その床下においてＬＤＫ１３及び廊下３６へ向けて延びている。空調ダクト５８はＬＤＫ１３及び廊下３６の床部に設けられた吹出口５９に接続されている。空調装置５１により生成された空調空気は空調ダクト５８を通じて各吹出口５９に供給され、それら各吹出口５９よりＬＤＫ１３及び廊下３６に吹き出される。これにより、それら吹き出された空調空気によりＬＤＫ１３及び廊下３６の空調（冷房又は暖房）が行われる。
【００３６】
各吹出口５９よりＬＤＫ１３及び廊下３６に吹き出された空調空気は空調装置５１が設置された設置スペース５３へ還気として還流する（戻る）。そして、空調装置５１は、その還気を吸込部５１ａにより吸い込み、その吸い込んだ還気をもとに空調空気を生成する。
【００３７】
ここで、空調装置５１の吸込部５１ａによる空気の吸い込みに伴い、移動経路Ｒでは、空調装置５１へ向かう空気の流れが生じる。図２では、その空気の流れを点線矢印で示している。空調装置５１の吸込部５１ａにより設置スペース５３内の空気が吸い込まれると、それに伴い、収納空間３１の空気が通気部５７を通じて設置スペース５３に取り込まれる。そして、さらにそれに伴い、移動経路Ｒにおいて収納空間３１へ向けた空気の流れが生じる。この際、ＬＤＫ１３側から廊下３６を通じて収納空間３１へ流れ込む空気の流れと、玄関１１側からホール１２を通じて収納空間３１へ流れ込む空気の流れとが生じる。
【００３８】
本住宅１０では、移動経路Ｒにおいて上記のような空気の流れが生じることで、居住者が帰宅した際に、埃や花粉等の異物が移動経路Ｒを通じてＬＤＫ１３まで流れ込むのを抑制することが可能となる。また、収納空間３１の空気が空調装置５１へ吸い込まれる空気の流れが生じるため、収納空間３１に異物が溜まるのを抑制することが可能となる。
【００３９】
以上、詳述した本実施形態の構成によれば、以下の優れた効果が得られる。
【００４０】
空調装置５１に異物除去用のフィルタ５１ｂが設けられているため、空調装置５１に吸い込まれる空気に含まれる埃や花粉等の異物がフィルタ５１ｂにより除去される。この場合、その異物が除去された空気をもとに空調空気が生成され、その空調空気によりＬＤＫ１３の空調が行われるため、空調空気とともに異物がＬＤＫ１３に流れ込むのを防止することができる。
【００４１】
衣類を収納する収納空間３１が移動経路Ｒの途中に設けられているため、居住者は帰宅した際、玄関１１からＬＤＫ１３へ移動する途中で収納空間３１において屋内用の衣類に着替えることができる。これにより、居住者が帰宅してから屋内用の衣類に着替えてＬＤＫ１３に入るまでの動線を効率化することができる。また、空調装置５１が収納空間３１の脇に設置されているため、収納空間３１の空気は空調装置に直接吸い込まれる。これにより、収納空間３１に埃や花粉等の異物が溜まるのを好適に抑制することができる。
【００４２】
収納空間３１では、ホール１２側の出入口３３にドア３４が設けられている一方、ＬＤＫ１３側（廊下３６側）の出入口３７にはドアが設けられていない。これにより、居住者が玄関１１側から収納空間３１を通ってＬＤＫ１３へ移動する際、移動し易くすることができる。また、ＬＤＫ１３側の出入口３７が開放されているため、移動経路ＲにおいてＬＤＫ１３側から収納空間３１へ向けた空気の流れが生じ易くなっている。これにより、移動経路Ｒを通じて埃や花粉等の異物がＬＤＫ１３に流れ込むのをより一層抑制することができる。
【００４３】
移動経路Ｒを構成している玄関１１、ホール１２、収納空間３１及び廊下３６は南北方向に直線状に並んでおり、換言すると収納空間３１の各出入口３３，３７が対向する方向に直線状に並んでいる。これにより、居住者が帰宅した際、玄関１１から移動経路Ｒを通ってＬＤＫ１３へ移動し易くなっている。
【００４４】
移動経路Ｒの途中であるホール１２に洗面台１９が設けられているため、居住者が帰宅した際、ＬＤＫ１３に入る前に手洗いを済ませることができる。これにより、ＬＤＫ１３に埃や花粉等の異物が持ち込まれるのをより一層抑制することができる。また、洗面台１９は、移動経路Ｒにおいて収納空間３１よりも玄関１１側（玄関ホール側）に設けられているため、居住者が収納空間３１に入る前に手洗いを済ませることができる。そのため、収納空間３１に埃や花粉等の異物が持ち込まれるのを防止することもできる。
【００４５】
〔第２の実施形態〕
次に、第２の実施形態について説明する。図３は本実施形態における住宅７０の一階部分７１の間取りを示す平面図であり、図４は二階部分７２の間取りを示す平面図である。なお、図３及び図３ではいずれも、その上下方向が南北方向となっており、その左右方向が東西方向となっている。
【００４６】
まず、図３に基づいて、住宅７０の一階部分７１の間取りについて説明する。図３に示すように、住宅７０の一階部分７１には、屋内空間として、玄関７３と、廊下７４と、寝室７５〜７７と、収納室７８とが設けられている。玄関７３は北側に設けられ、その玄関７３に連続して廊下７４が設けられている。この場合、玄関７３と廊下７４との連続スペースが玄関ホール部に相当する。廊下７４は東西に延びており、その突き当たりから二階部分７２に通じる階段７９が設けられている。
【００４７】
各寝室７５〜７７はいずれも一階部分７１の南側に設けられている。各寝室７５〜７７のうち、寝室７５は両親の寝室であり、各寝室７６，７７は子供の寝室である。収納室７８は、衣類を収納するための収納空間である。収納室７８は、廊下７４に隣接して設けられ、廊下７４から出入口８２を通じて出入り可能となっている。したがって、収納室７８はいわゆるウォークインクローゼットとなっている。これにより、本住宅７０では、居住者が帰宅した際、収納室７８で着替え等することが可能となっている。また、出入口８２には引き戸からなるドア８３が設けられている。
【００４８】
収納室７８には洗面台８５が設けられている。これにより、居住者が帰宅した際、洗面台８５で手洗いやうがい等をすることが可能となっている。したがって、本住宅７０では、居住者が帰宅した際、収納室７８において着替えと手洗いを済ませることが可能となっている。
【００４９】
続いて、二階部分７２の間取りについて図４に基づいて説明する。
【００５０】
図４に示すように、住宅７０の二階部分７２には、屋内空間として、ＬＤＫ９１と、洗面室９２と、浴室９３とが設けられている。ＬＤＫ９１は、リビング９１ａとダイニング９１ｂとキッチン９１ｃとが連続する連続空間とされ、二階部分７２の南側に設けられている。ＬＤＫ９１は、階段７９に通じている。また、洗面室９２及び浴室９３は二階部分７２の北側に設けられている。
【００５１】
本住宅７０では、ＬＤＫ９１が居室空間に相当する。また、玄関７３から廊下７４及び階段７９を経由してＬＤＫ９１に至る経路が移動経路Ｌとなっている。
【００５２】
次に、一階部分７１に設けられた全館式の空調設備１００について図３を用いながら説明する。
【００５３】
図３に示すように、空調設備１００は、空調装置１０１を備える。空調装置１０１は廊下７４に隣接して設けられた機械室８７に設置されている。したがって、空調装置１０１は廊下７４の脇に設置されているといえる。機械室８７は、廊下７４における玄関７３側とは反対側の突き当たり位置で廊下７４と隣接しており、その廊下７４を挟んで階段７９とは反対側に配置されている。廊下７４と機械室８７との間には空調装置１０１をメンテナンスする際に用いられるメンテナンス用の開口部８８が設けられ、その開口部８８には観音開き式の扉部８９が設けられている。扉部８９は、その下端部がアンダーカットされ、そのアンダーカット部分により廊下７４と機械室８７とを通気可能に連通する通気部９５が設けられている。
【００５４】
空調装置１０１は機械室８７の空気を吸い込んで空調空気を生成し、その空調空気を空調ダクト（図示略）を介して各寝室７５〜７７に供給する。これにより、各寝室７５〜７７の空調が行われる。また、各寝室７５〜７７に吹き出された空調空気は機械室８７へ還流する。
【００５５】
空調装置１０１により機械室８７の空気が吸い込まれると、それに伴い、廊下７４から通気部９５を通じて機械室８７へ空気が流れ込む。そして、それに伴い、移動経路Ｌにおいて、機械室８７へと向かう空気の流れが生じる。図３では、その空気の流れを点線矢印で示している。この場合、移動経路Ｌでは、玄関７３側から機械室８７へと向かう空気の流れと、階段７９側から機械室８７へと向かう空気の流れとが生じる。
【００５６】
本住宅７０では、移動経路Ｌにおいて上記のような空気の流れが生じることで、居住者が帰宅した際、玄関７３側から埃や花粉等の異物が移動経路Ｌを通じてＬＤＫ９１に流れ込むのを抑制することができる。また、移動経路Ｌにおいて空気の流れが生じることで移動経路Ｌから収納室７８に異物が入り込むのを抑制することができ、その結果、収納室７８に異物が溜まるのを抑制することができる。
【００５７】
〔他の実施形態〕
本発明は上記実施形態に限らず、例えば次のように実施されてもよい。
【００５８】
・上記第１の実施形態では、ホール１２に隣接させて収納空間３１を設けたが、これを変更して、玄関１１に隣接させて収納空間３１を設けてもよい。この場合、玄関１１から収納空間３１へ出入り可能とすることができる。また、これと同様に、上記第２の実施形態において、玄関７３に隣接させて収納室７８を設けるようにしてもよい。
【００５９】
・上記第１の実施形態では、空調装置５１を収納空間３１の脇に設置したが、例えば空調装置５１をホール１２の脇に設置してもよい。この場合にも、空調装置５１が移動経路Ｒの脇に設置されるため、移動経路Ｒでは、空調装置５１の吸込部５１ａによる空気の吸いこみに伴い、移動経路Ｒへと向かう空気の流れが生じる。このため、移動経路Ｒを通じてＬＤＫ１３へ埃や花粉等の異物が流れ込むのを抑制できるとともに、収納空間３１に異物が溜まるのを抑制することができる。
【００６０】
・上記第１の実施形態では、収納空間３１の各出入口３３，３７のうち、出入口３３にのみドア３４を設けたが、出入口３７にもドアを設けるようにしてもよい。
【００６１】
・上記各実施形態では、移動経路Ｒ，Ｌを通じた移動先となる居室空間がＬＤＫ１３，９１となっていたが、かかる居室空間はリビングや和室等であってもよい。
【符号の説明】
【００６２】
１０…住宅、１３…居室空間としてのＬＤＫ、１９…洗面台、３１…収納空間、３３…出入口、３４…ドア、３７…出入口、５１…空調装置、５１ｂ…フィルタ、７０…住宅、７８…収納空間としての収納室、１０１…空調装置、Ｌ…移動経路、Ｒ…移動経路。
【図１】
2020176384.tif 000003
【図２】
2020176384.tif 000004
【図３】
2020176384.tif 000005
【図４】
2020176384.tif 000006